(57)【要約】【課題】  使用済みの温水と給水源からの水との間で効率的に熱交換させることができる上に、使用済みの温水の流通に伴って付着したスケールを物理的に除去することのできる給湯システム用排熱回収装置を提供する。【解決装置】  給水システム用排熱回収装置は、所定の間隔をあけて配置された複数の伝熱カセットと、隣り合う伝熱カセット同士を連結する複数の連結部と、前記複数の伝熱カセットの並ぶ並列方向の最も一端側にある伝熱カセットに接続され、一次側給水配管が接続可能に構成された一次側接続部と、前記複数の伝熱カセットの並ぶ並列方向の最も他端側にある伝熱カセットに接続され、二次側給水配管が接続可能に構成された二次側接続部とを備えた一対の熱回収体の少なくとも何れか一方の熱回収体は、少なくとも伝熱カセットが他方の熱回収体の伝熱カセットに対して相対的に位置変更可能に構成される。【選択図】図１
2013015231.tif 000002
【特許請求の範囲】
【請求項１】
湯沸器からの高温な湯が混合される給水源からの水を使用済みの温水と熱交換させて加熱するための給湯システム用排熱回収装置であって、給水源に繋がる一次側給水配管、及び湯沸器に繋がる給湯配管系に合流する二次側給水配管が接続可能に構成され、前記一次側給水配管から二次側給水配管に向けて給水源からの水が流通可能に構成された一対の熱回収体を備え、該一対の熱回収体のそれぞれは、所定の間隔をあけて配置された複数の伝熱カセットと、隣り合う伝熱カセット同士を連結する複数の連結部と、前記複数の伝熱カセットの並ぶ並列方向の最も一端側にある伝熱カセットに接続され、前記一次側給水配管が接続可能に構成された一次側接続部と、前記複数の伝熱カセットの並ぶ並列方向の最も他端側にある伝熱カセットに接続され、前記二次側給水配管が接続可能に構成された二次側接続部とを備え、前記複数の伝熱カセットのそれぞれは、互いに間隔をあけて対向する一対のプレート状伝熱部と、該一対のプレート状伝熱部間に形成された内部流路とを備えるとともに、前記プレート状伝熱部を隣り合う伝熱カセットのプレート状伝熱部と面対向させて配置され、前記複数の連結部のそれぞれは、隣り合う伝熱カセットの内部流路を流体的に連通させ、前記一次側接続部は、前記最も一端側にある伝熱カセットの内部流路と一次側給水配管系とを流体的に連通可能に構成され、前記二次側接続部は、前記最も他端側にある伝熱カセットの内部流路と二次側給水配管系とを流体的に連通可能に構成され、前記一対の熱回収体は、一方の熱回収体の伝熱カセットのプレート状伝熱部と他方の熱回収体の伝熱カセットのプレート状伝熱部とを面対向させるように、一方の熱回収体の伝熱カセット間のそれぞれに他方の熱回収体の伝熱カセットのそれぞれが遊挿された状態で、使用済みの温水が排出される排水口に繋がる排水路内に設置可能に構成され、前記一対の熱回収体の少なくとも何れか一方の熱回収体は、少なくとも伝熱カセットが他方の熱回収体の伝熱カセットに対して相対的に位置変更可能に構成されていることを特徴とする給湯システム用排熱回収装置。
【請求項２】
前記一対の熱回収体の少なくとも何れか一方の熱回収体の前記一次側接続部及び前記二次側接続部は、同心で設けられ、前記少なくとも何れか一方の熱回収体は、前記一次側接続部及び前記二次側接続部を中心にして回転可能に構成されている請求項１に記載の給湯システム用排熱回収装置。
【請求項３】
前記一対の熱回収体のそれぞれは、前記複数の連結部として、隣り合う伝熱カセットの一端部同士を連結する第一連結部と、隣り合う伝熱カセットの他端部同士を連結する第二連結部とを備え、伝熱カセット間に第一連結部又は第二連結部の何れか一方のみが配置され、第一連結部及び第二連結部が前記複数の伝熱カセットの並ぶ方向で交互に配置されている請求項１又は２に記載の給湯システム用排熱回収装置。
【請求項４】
前記一対の熱回収体のうちの少なくとも何れか一方の熱回収体は、前記一次側接続部、前記二次側接続部、及び前記複数の連結部が同心で配置されるとともに、複数の伝熱カセットのそれぞれが連結部を中心にして回転可能に構成されている請求項１に記載の給湯システム用排熱回収装置。
【請求項５】
前記一対の熱回収体のうちの少なくとも何れか一方の熱回収体の前記一次側接続部、前記二次側接続部、及び前記複数の連結部は、連結の対象となる伝熱カセットの一端部に連結され、前記少なくとも何れか一方の熱回収体における前記複数の伝熱カセットのそれぞれは、一対のプレート状伝熱部間の内部流路を該プレート状伝熱部の並ぶ方向で一次側内部流路と二次側内部流路とに仕切る仕切板を備え、該仕切板は、当該伝熱カセットの他端部側に一次側内部流路と二次側内部流路とを連通させる連通孔が設けられている請求項４に記載の給湯システム用排熱回収装置。
【発明の詳細な説明】
【技術分野】
【０００１】
本発明は、浴室や台所等の各所に給湯するに際し、湯沸器からの高温な湯と混合される給水源からの水を使用済みの温水で加熱するための給湯システム用排熱回収装置に関する。
【背景技術】
【０００２】
従来から、浴室や台所等の各所に適温の湯を供給する（給湯する）給湯システムとして、上水道等の給水源からの水を加熱して高温な湯にする湯沸器と、該湯沸器に接続された給湯配管系と、給水源に接続された給水配管系と、給湯配管系及び給水配管系を接続した混合弁とを備え、給水配管系からの水に給湯配管系からの高温な湯を混合弁で混合させて適温な湯にするように構成されたものが提供されている。
【０００３】
そして、この種の給湯システムは、給水源の水の温度が低い場合、水を加熱するエネルギーの消費量が多くなる上に高温にした湯（加熱した水）の消費量が多くなるとして、使用済みの温水（例えば、浴室でのシャワーやカランの使用によって排出される湯）の熱で給水配管系の水の温度を高くした上で、該水を給湯配管系の湯と混合するようにしたものが提供されている。（例えば、特許文献１参照）
【０００４】
かかる給湯システムは、使用済みの温水から熱（排熱）を回収する排熱回収装置を備えている。前記排熱回収装置は、一般的に、熱交換効率の高い熱交換器が採用される。すなわち、排熱回収装置には、プレート式熱交換器や二重管式熱交換器が採用される。
【０００５】
ここでプレート式熱交換器及び二重管式熱交換について概略説明すると、プレート式熱交換器は、複数の伝熱プレートが積層され、各伝熱プレートを境にして熱交換流体を流通させる第一流路と、熱交換流体と熱交換される被熱交換流体を流通させる第二流路とが交互に形成されている。そして、プレート式熱交換器は、第一流路を流通する熱交換流体と、第二流路を流通する被熱交換流体とが伝熱プレートを介して熱交換するようになっている。
【０００６】
これに対し、二重管式熱交換器は、外管と、該外管に遊挿された内管とで構成され、該内管内に熱交換流体又は該熱交換流体と熱交換される被熱交換流体の何れか一方を流通させる第一流路が形成され、内管と外管との間に熱交換流体又は該熱交換流体と熱交換される被熱交換流体の何れか他方を流通させる第二流路が形成されている。そして、二重管式熱交換器は、第一流路を流通する熱交換流体又は被熱交換流体の何れか一方と、第二流路を流通する熱交換流体又は被熱交換流体の何れか他方とが内管を介して熱交換するようになっている。
【０００７】
これに伴い、前記給湯システムは、前記排熱回収装置（プレート式熱交換器や二重管式熱交換器）の第一流路又は第二流路の何れか一方を給水配管系の一部とし、前記排熱回収装置の第一流路又は第二流路の何れか他方を使用済みの湯が排出される排水口と排水路とを繋ぐ排水系の一部としている。
【０００８】
すなわち、前記給湯システムの給水配管系は、給水源に繋がる一次側給水配管と、混合弁に繋がる二次側給水配管とを備え、該一次側給水配管の下流端部が前記排熱回収装置の第一流路又は第二流路の何れか一方の給液口（給水口）に接続される一方、該二次側給水配管の上流端部が前記排熱回収装置の第一流路又は第二流路の何れか一方の排液口（排水口）に接続される。
【０００９】
これに対し、前記給湯システムの排水系は、排水口に繋がる一次側排水配管と、排水路（排水管）に繋がる二次側排水配管とを備え、該一次側排水配管の下流端部が前記排熱回収装置の第一流路又は第二流路の何れか他方の給液口（給水口）に接続される一方、該二次側排水配管の上流端部が前記排熱回収装置の第一流路又は第二流路の何れか他方の排液口（排水口）に接続される。
【００１０】
これにより、前記排熱回収装置は、第一流路又は第二流路の何れか一方で流通する給水源からの水と、第一流路又は第二流路の何れか他方で流通する使用済みの温水との間で熱交換させ、給水配管系内の水を加熱する（給水源からの水の温度を高くする）ようになっている。
【００１１】
このように、上記構成の給湯システムは、使用済みの温水で給水配管系の水の温度を高くした上で、該水を給湯配管系の湯と混合できるため、湯沸器で給水源からの水を必要以上の温度に加熱したり湯沸器から多くの湯を供給したりする必要がなく、湯沸器でのエネルギーの消費を抑えることができるとされている。
【先行技術文献】
【特許文献】
【００１２】
【特許文献１】実用新案登録第３１４９９６８号公報
【発明の概要】
【発明が解決しようとする課題】
【００１３】
ところで、浴室や台所等から排出される使用済みの温水は、油分や洗剤の成分等が含まれているため、当該油分や洗剤の成分等が排熱回収装置内における使用済みの湯を流通させる流路（第一流路又は第二流路の何れか他方の流路）を詰まらせてしまう虞がある。
【００１４】
すなわち、使用済みの湯に含まれる油分や洗剤の成分等は、前記排熱回収装置の第一流路又は第二流路の何れか他方を画定する壁面（プレート式熱交換器の場合には伝熱プレートの表面、二重管式熱交換器の場合には内管の内面又は内管の外面と外管の内面）に、スケールとして付着乃至堆積し、使用済みの湯を流通させる流路（第一流路又は第二流路の何れか他方の流路）を詰まらせてしまう虞がある。
【００１５】
これに伴い、第一流路又は第二流路の何れか他方を画定する壁面に付着したスケールを除去することが要求されるが、前記排熱回収装置に採用されるプレート式熱交換器や二重管式熱交換器は、使用済みの湯を流通させる流路（第一流路又は第二流路の何れか他方の流路）が密閉空間で構成されるため、該流路を画定する壁面に付着したスケールを物理的な洗浄（ブラシ等による洗浄）で除去することができない。
【００１６】
そのため、この種の排熱回収装置は、一般的に洗浄力の強い薬液や液体洗剤を流通させることでスケールを除去（内部洗浄）することが推奨される。
【００１７】
しかしながら、給湯システムの排水系（使用済みの湯を流通させる経路）は、排水路に繋がっているため、スケールの除去（内部洗浄）に薬液や液体洗剤を使用すると、薬液や液体洗剤が排水路に排出されることになり、水質汚染等の原因となる。
【００１８】
そこで、本発明は、使用済みの温水と給水源からの水との間で効率的に熱交換させることができる上に、使用済みの温水の流通に伴って付着したスケールを物理的に除去することのできる給湯システム用排熱回収装置を提供することを課題とする。
【課題を解決するための手段】
【００１９】
本発明に係る給湯システム用排熱回収装置は、湯沸器からの高温な湯が混合される給水源からの水を使用済みの温水と熱交換させて加熱するための給湯システム用排熱回収装置であって、給水源に繋がる一次側給水配管、及び湯沸器に繋がる給湯配管系に合流する二次側給水配管を接続可能に構成され、前記一次側給水配管から二次側給水配管に向けて給水源からの水が流通可能に構成された一対の熱回収体を備え、該一対の熱回収体のそれぞれは、所定の間隔をあけて配置された複数の伝熱カセットと、隣り合う伝熱カセット同士を連結する複数の連結部と、前記複数の伝熱カセットの並ぶ並列方向の最も一端側にある伝熱カセットに接続され、前記一次側給水配管が接続可能に構成された一次側接続部と、前記複数の伝熱カセットの並ぶ並列方向の最も他端側にある伝熱カセットに接続され、前記二次側給水配管が接続可能に構成された二次側接続部とを備え、前記複数の伝熱カセットのそれぞれは、互いに間隔をあけて対向する一対のプレート状伝熱部と、該一対のプレート状伝熱部間に形成された内部流路とを備えるとともに、前記プレート状伝熱部を隣り合う伝熱カセットのプレート状伝熱部と面対向させて配置され、前記複数の連結部のそれぞれは、隣り合う伝熱カセットの内部流路を流体的に連通させ、前記一次側接続部は、前記最も一端側にある伝熱カセットの内部流路と一次側給水配管系とを流体的に連通可能に構成され、前記二次側接続部は、前記最も他端側にある伝熱カセットの内部流路と二次側給水配管系とを流体的に連通可能に構成され、前記一対の熱回収体は、一方の熱回収体の伝熱カセットのプレート状伝熱部と他方の熱回収体の伝熱カセットのプレート状伝熱部とを面対向させるように、一方の熱回収体の伝熱カセット間のそれぞれに他方の熱回収体の伝熱カセットのそれぞれが遊挿された状態で、使用済みの温水が排出される排水口に繋がる排水路内に設置可能に構成され、前記一対の熱回収体の少なくとも何れか一方の熱回収体は、少なくとも伝熱カセットが他方の熱回収体の伝熱カセットに対して相対的に位置変更可能に構成されていることを特徴とする。
【００２０】
上記構成の給湯システム用排熱回収装置は、前記一対の熱回収体を排水路内に設置した状態で、一方の熱回収体の伝熱カセットと他方の熱回収体の伝熱カセットとの間が排水路で上流側から下流側に流通する使用済みの温水の流路になる。
【００２１】
これにより、前記給水システム用排熱回収装置は、排水路内に設置した状態で前記一対の熱回収体のそれぞれに給水源からの水を流通させると、各熱回収体の伝熱カセット及び連結部を流通する給水源からの水と排水路を流通する使用済みの温水とが熱交換し、給水源からの水を使用済みの温水の熱で加熱することができる。
【００２２】
特に、前記一対の熱回収体は、一方の熱回収体の伝熱カセットのプレート状伝熱部と他方の熱回収体の伝熱カセットのプレート状伝熱部とを面対向させるように、一方の熱回収体の伝熱カセット間のそれぞれに他方の熱回収体の伝熱カセットのそれぞれが遊挿されるため、各伝熱カセットのプレート状伝熱部を介して給水源からの水と使用済みの温水との間で効率的に熱交換することができる。
【００２３】
すなわち、一方の熱回収体の伝熱カセットのプレート状伝熱部と他方の熱回収体の伝熱カセットのプレート状伝熱部とを面対向させることで、伝熱カセット間に形成される流路を通過する使用済み温水と伝熱カセットの内部流路を流通する水とが熱交換する面積が大きくなるため、使用済みの温水から効率的に熱回収を行って給水源からの水を効率的に加熱することができる。
【００２４】
そして、前記給湯システム用排熱回収装置は、上述の如く、一方の熱回収体の伝熱カセットと他方の熱回収体の伝熱カセットとの間が排水路で上流側から下流側に流通する使用済みの温水の流路になるため、排水路を流通する使用済みの温水に含まれる油分や洗剤の成分等がスケールとして伝熱カセットの表面に付着することになる。そして、前記スケールの付着量（堆積量）が多くなると熱交換効率が低下してしまうため、一対の熱回収体の伝熱カセット（プレート状伝熱部）に対してブラシ等の清掃具を用いて定期又は不定期に掃除を行うことになる。
【００２５】
上記構成の給湯システム用排熱回収装置おいては、一方の熱回収体の伝熱カセットのプレート状伝熱部と他方の熱回収体の伝熱カセットのプレート状伝熱部とを面対向させるように、一方の熱回収体の伝熱カセット間のそれぞれに他方の熱回収体の伝熱カセットのそれぞれが遊挿された状態にされるため、一方の熱回収体の伝熱カセットと他方の熱回収体の伝熱カセットとの間にブラシ等の清掃具を挿入でき、各伝熱カセットのプレート状伝熱部を含む正面の清掃を行うことができる。
【００２６】
特に、前記一対の熱回収体の少なくとも何れか一方の熱回収体は、少なくとも伝熱カセットが他方の熱回収体の伝熱カセットに対して相対的に位置変更可能に構成されているため、一方の熱回収体の伝熱カセット（プレート状伝熱部）及び他方の熱回収体の伝熱カセットにブラシ等の清掃具がアクセスし易い状態になる。
【００２７】
具体的には、一方の熱回収体の伝熱カセットと他方の熱回収体の伝熱カセットとが伝熱カセットの並ぶ方向で相対的に位置変更可能な場合、一対の熱回収体の伝熱カセットを相対的に位置変更させることで、一方の熱回収体の伝熱カセットと他方の熱回収体の伝熱カセットの間隔が広がるため、組み合わされた一対の熱回収体の伝熱カセット間にブラシ等の清掃具を挿入し易くなる上に該清掃具を操作し易い状態になる。これに対し、一方の熱回収体の伝熱カセットと他方の熱回収体の伝熱カセットとが伝熱カセットの並ぶ方向と直交する方向で相対的に位置変更可能な場合、一対の熱回収体の伝熱カセットを相対的に位置変更させることで、何れか一方の熱回収体の伝熱カセット間から何れか他方の熱回収体の伝熱カセットが個別に又は全体的に引き出された状態になる。これにより、前記一方の熱回収体の伝熱カセットの周囲に他方の熱回収体の伝熱カセットが存在しなくなり、また、前記他方の熱回収体の伝熱カセットの周囲に一方の熱回収体の伝熱カセットが存在しなくなるため、一対の熱回収体のそれぞれの伝熱カセット（プレート状伝熱部）にブラシ等の清掃具をアクセスし易い状態になる。
【００２８】
従って、前記給湯システム用排熱回収装置は、複数の伝熱カセットのそれぞれのプレート状伝熱部を含む表面を容易に且つ物理的に清掃することができ、プレート状伝熱部に対するスケールの付着を解消して給水源からの水と使用済みの温水との間で効率的に熱交換させることのできる状態に戻すことができる。
【００２９】
本発明の一態様として、前記一対の熱回収体の少なくとも何れか一方の熱回収体の前記一次側接続部及び前記二次側接続部は、同心で設けられ、前記少なくとも何れか一方の熱回収体は、前記一次側接続部及び前記二次側接続部を中心にして回転可能に構成されてもよい。
【００３０】
かかる構成を備えた給湯システム用排熱回収装置は、一対の熱回収体の少なくとも何れか一方の熱回収体（複数の伝熱カセット及び複数の連結部）を前記一次側接続部及び前記二次側接続部を中心にして回転させることで、該一方の熱回収体の伝熱カセットを他方の熱回収体の伝熱カセット間から引き出した状態にすることができる。これにより、前記給湯システム用排熱回収装置は、前記一方の熱回収体の伝熱カセットの周囲に他方の熱回収体の伝熱カセットが存在しなくなり、また、前記他方の熱回収体の伝熱カセットの周囲に一方の熱回収体の伝熱カセットが存在しなくなるため、一対の熱回収体のそれぞれの伝熱カセット（プレート状伝熱部）にブラシ等の清掃具をアクセスし易い状態になる。
【００３１】
本発明の他態様として、前記一対の熱回収体のそれぞれは、前記複数の連結部として、隣り合う伝熱カセットの一端部同士を連結する第一連結部と、隣り合う伝熱カセットの他端部同士を連結する第二連結部とを備え、伝熱カセット間に第一連結部又は第二連結部の何れか一方のみが配置され、第一連結部及び第二連結部が前記複数の伝熱カセットの並ぶ方向で交互に配置されていることが好ましい。
【００３２】
かかる構成を備えた給湯システム用排熱回収装置によれば、隣り合う伝熱カセットの内部流路が第一連結部又は第二連結部の何れか一方を介して連通した状態になる。そして、前記一対の熱回収体のそれぞれは、伝熱カセットの一端部同士を連結する第一連結部と、伝熱カセットの他端部同士を連結する第二連結部とが複数の伝熱カセットの並ぶ方向で交互に配置されることで、一端から他端に向けて水が流通する内部流路を形成した伝熱カセットと、他端から一端に向けて水が流通する内部流路を形成した伝熱カセットとが交互に配置されたものになる。
【００３３】
これにより、一対の熱回収体のそれぞれは、給水源からの水が複数の伝熱カセットのそれぞれの内部流路の全域又は略前記で淀むことなく上流から下流に向けて流れ、排水路を流れる（伝熱カセット間を流れる）使用済みの温水との熱交換を効率的に行えるものになる。
【００３４】
本発明の別の態様として、前記一対の熱回収体のうちの少なくとも何れか一方の熱回収体は、前記一次側接続部、前記二次側接続部、及び前記複数の連結部が同心で配置されるとともに、複数の伝熱カセットのそれぞれが連結部を中心にして回転可能に構成されてもよい。
【００３５】
かかる構成を備えた給湯システム用排熱回収装置は、前記一方の熱回収体における複数の伝熱カセットの少なくとも何れか一つを、連結部を中心にして回転させることで、該一方の熱回収体の伝熱カセットを他方の熱回収体の伝熱カセット間から引き出した状態にすることができる。これにより、前記給湯システム用排熱回収装置は、前記一方の熱回収体の伝熱カセットの周囲に他方の熱回収体の伝熱カセットが存在しなくなり、また、前記他方の熱回収体の伝熱カセットの周囲に一方の熱回収体の伝熱カセットが存在しなくなるため、一対の熱回収体のそれぞれの伝熱カセット（プレート状伝熱部）にブラシ等の清掃具をアクセスし易い状態になる。
【００３６】
この場合、前記一対の熱回収体のうちの少なくとも何れか一方の熱回収体の前記一次側接続部、前記二次側接続部、及び前記複数の連結部は、連結の対象となる伝熱カセットの一端部に連結され、前記少なくとも何れか一方の熱回収体における前記複数の伝熱カセットのそれぞれは、一対のプレート状伝熱部間の内部流路を該プレート状伝熱部の並ぶ方向で一次側内部流路と二次側内部流路とに仕切る仕切板を備え、該仕切板は、当該伝熱カセットの他端部側に一次側内部流路と二次側内部流路とを連通させる連通孔が設けられてもよい。
【００３７】
かかる構成を備えた給湯システム用排熱回収装置は、前記一対の熱回収体のうちの少なくとも何れか一方の熱回収体における複数の伝熱カセットのそれぞれで給水源からの水が一次側内部流路を流れた上で二次側内部流路を流れるものになる。すなわち、前記少なくとも何れか一方の熱回収体は、各伝熱カセットの内部流路において、給水源からの水が一端側から他端側に向けて流れて他端側（連通孔）でターンした上で他端側から一端側に向け流れるものになる。従って、前記少なくとも何れか一方の熱回収体は、各伝熱プレートの内部流路が一往復する流路になるとともに、各伝熱プレートの内部流路が一端側にある連結部を介して流体的に接続されたものになる。
【００３８】
これにより、前記一対の熱回収体のうちの少なくとも何れか一方の熱回収体は、給水源からの水が複数の伝熱カセットのそれぞれの内部流路の全域又は略前記で淀むことなく上流から下流に向けて流れることになる。従って、上記構成の熱回収体を備えた給湯システム用排熱回収装置は、排水路を流れる（伝熱カセット間を流れる）使用済みの温水との熱交換を効率的に行えるものになる。
【発明の効果】
【００３９】
以上のように、本発明に係る給湯システム用排熱回収装置は、使用済みの温水と給水源からの水との間で効率的に熱交換させることができる上に、使用済みの温水の流通に伴って付着したスケールを物理的に除去することができるという優れた効果を奏し得る。
【図面の簡単な説明】
【００４０】
【図１】図１は、本発明の第一乃至第三実施形態に係る排熱回収装置が採用される給湯システムの概略系統図である。
【図２】図２は、本発明の第一実施形態に係る排熱回収装置の全体斜視図である。
【図３】図３は、第一実施形態に係る排熱回収装置を構成する第一熱回収体及び第二熱回収体の斜視図であって、（ａ）は、第一熱回収体の斜視図であり、（ｂ）は、第二熱回収体の斜視図である。
【図４】図４は、第一実施形態に係る排熱回収装置（第一熱回収体及び第二熱回収体）の概略横断面図であって、（ａ）は、水の流れを矢印で付記した第一熱回収体の横断面図を示し、（ｂ）は、水の流れを矢印で付記した第二熱回収体の横断面図である。
【図５】図５は、第一実施形態に係る排熱回収装置の概略縦断面図であって、排水路内に設置した状態の縦断面図である。
【図６】図６は、本発明の第二実施形態に係る排熱回収装置の全体斜視図である。
【図７】図７は、第二実施形態に係る排熱回収装置（第一熱回収体及び第二熱回収体）の概略横断面図であって、（ａ）は、水の流れを矢印で付記した第一熱回収体の横断面図を示し、（ｂ）は、水の流れを矢印で付記した第二熱回収体の横断面図である。
【図８】図８は、第二実施形態に係る排熱回収装置（第一熱回収体及び第二熱回収体）の全体斜視図であって、第一熱回収体を回転させた状態の全体斜視図である。
【図９】図９は、本発明の第三実施形態に係る排熱回収装置の全体斜視図である。
【図１０】図１０は、第三実施形態に係る排熱回収装置（第一熱回収体及び第二熱回収体）の概略横断面図である。
【図１１】図１１は、第三実施形態に係る排熱回収装置（第一熱回収体及び第二熱回収体）の伝熱カセット（第一伝熱カセット、第二伝熱カセット）の縦断面図である。
【図１２】図１２は、第三実施形態に係る排熱回収装置（第一熱回収体及び第二熱回収体）の全体斜視図であって、第一熱回収体及び第二熱交換体の一部の伝熱カセットを回転させた状態の全体斜視図である。
【発明を実施するための形態】
【００４１】
以下、本発明の第一実施形態に係る給湯システム用排熱回収装置（以下、単に排熱回収装置という）について、添付図面を参照して説明する。
【００４２】
まず、本実施形態に係る排熱回収装置の説明に先立ち、該排熱回収装置が採用される給湯システムの一例について説明する。
【００４３】
かかる給湯システムは、図１に示す如く、浴槽ＢＴを備えた浴室ＢＲを設置することを前提としたもので、上水道等の給水源からの水を加熱して高温な湯にする湯沸器２と、該湯沸器２に接続された給湯配管系３と、給水源に接続された給水配管系４と、給湯配管系３及び給水配管系４を接続した混合弁５と、浴室ＢＲを含む複数箇所と前記混合弁５とを繋ぐ配管系６とを備えている。
【００４４】
前記湯沸器２は、給水源に繋がる配管が接続されており、常温の水が供給されるようになっている。なお、図１に示す概略系統図では、前記給水配管系４を分岐させた配管を湯沸器２に接続している。そして、湯沸器２は、供給された水を加熱して高温な湯にするようになっている。すなわち、湯沸器２は、給水源から供給される水を流通させつつ連続的に加熱する連続式のものや、給水源から供給される水を貯留して加熱する貯湯式のものが採用される。
【００４５】
前記湯沸器２は、浴室ＢＲや、台所、洗面所等の設置された止水栓（採番しない）が開栓されると、加熱された水（高温になった湯）を混合弁５に向けて順次送り出すように構成されている。
【００４６】
前記給水配管系４は、給水源と混合弁５とを流体的に接続している。そして、該給水配管系４は、途中位置に浴室ＢＲの排水口Ｄに繋がる排水路ＤＲを流通する使用済みの温水の熱を回収する排熱回収装置４２が設けられている。すなわち、前記給水配管系４は、給水源に繋がる一次側給水配管４０と、給湯配管系３に合流する（混合弁５に繋がる）二次側給水配管４１と、前記一次側給水配管４０及び前記二次側給水配管４１が接続され、浴室ＢＲの排水口Ｄに繋がる排水路ＤＲ内に設置される排熱回収装置４２とを備えている。
【００４７】
本実施形態に係る給湯配管系３は、湯沸器２と混合弁５とを接続した配管である。前記混合弁５は、いわゆる三方弁で構成されている。
【００４８】
そして、本実施形態に係る給湯システム１は、前記配管系６における浴室ＢＲ以外の箇所（台所や洗面所）に繋がる経路（後述する第二配管）６２上での湯の流通の有無を検知する給湯検知装置７と、入浴に関連する情報を取得する入浴情報取得装置８と、浴室ＢＲ内の浴槽ＢＴの下部に接続された排水系ＤＰを開閉する開閉弁９と、給湯検知装置７及び入浴情報取得装置８の検知結果に基づいて開閉弁９を開閉させる制御装置１０とを備えている。
【００４９】
本実施形態に係る配管系６は、上述の如く、浴室ＢＲを含む複数箇所に給湯可能に構成されている。すなわち、配管系６は、混合弁５に接続される主配管６０と、該主配管６０に接続された分岐継手（採番しない）と、分岐継手と浴室ＢＲとを繋ぐ第一配管６１と、分岐継手と浴室ＢＲ以外の箇所とを繋ぐ第二配管６２とを備えている。なお、第二配管６２は、途中で分岐されて台所や洗面所等に繋がっている。
【００５０】
本実施形態に係る給湯検知装置７は、流量センサで構成されており、第二配管６２上に設けられている。これにより、給湯検知装置（流量センサ）７は、浴室ＢＲ以外の箇所に給湯するときに第二配管６２（経路）上で湯の流通の有無を検知できるようになっている。
【００５１】
本実施形態に係る入浴情報取得装置８は、流体の流通に伴ってＯＮ信号を出力するフロースイッチで構成されており、第一配管６１上に設けられている。これにより、入浴情報取得装置８（フロースイッチ）は、浴室ＢＲに給湯するときに第一配管６１（経路）上で湯の流通の有無を検知し、湯の流通がある状態でＯＮ信号を出すようになっている。
【００５２】
前記排水系ＤＰは、浴槽ＢＴ内に貯められた温水（湯）を排水路ＤＲにおける排熱回収装置４２の上流側に排出可能に構成されている。前記開閉弁９は、駆動源を備えた弁体で構成される。本実施形態に係る開閉弁９は、電動ボール弁で構成されており、制御装置１０の指示で開閉するようになっている。
【００５３】
前記制御装置１０は、ＣＰＵ等を含む制御基板で構成されている。そして、該制御装置１０は、入浴情報取得装置８が取得した情報を基に入浴中であると判断すると、開閉弁９を閉状態にする一方、入浴情報取得装置８が取得した情報を基に入浴中でないと判断するとともに給湯検知装置７の検知結果を基に浴室ＢＲ以外の箇所に繋がる経路上での湯の流通があると判断すると開閉弁９を開状態にするように構成されている。
【００５４】
本実施形態において、前記入浴情報取得装置８は、上述の如く、前記配管系６における浴室ＢＲに繋がる経路（第一配管６１）上での湯の流通の有無を検知する検知センサ（フローセンサ）で構成されているため、制御装置１０は、検知センサ８の検知結果を基に浴室ＢＲに繋がる経路上での湯の流通があると判断したときに入浴中であると判断し、検知センサ８の検知結果を基に浴室ＢＲに繋がる経路上での湯の流通がないと判断したときに入浴中でないと判断するように構成されている。
【００５５】
すなわち、入浴者は入浴中に浴室ＢＲのシャワーやカランで湯を使用するため、浴室ＢＲに繋がる経路（第一配管）６１上での湯の流通の有無で入浴中であるか否かが判ることから、本実施形態に係る給湯システム１は、制御装置１０が検知センサ８の検知結果を基に浴室ＢＲに繋がる経路（第一配管）６１上での湯の流通があると判断すると、入浴中であるとして、所定時間の間（例えば、入浴時間の間）浴槽ＢＴ内の湯が排出されることを防止し、制御装置１０が検知センサ８の検知結果を基に浴室ＢＲに繋がる経路（第一配管）６１上での湯の流通がないと判断するとともに給湯検知装置７の検知結果を基に浴室ＢＲ以外の箇所に繋がる経路（第二配管）６２上での湯の流通があると判断すると、浴室ＢＲに入浴者が居ない（入浴中ではない）状態で浴室ＢＲ以外の場所に給湯する状態であるとして、開閉弁９を開状態にするように構成されている。
【００５６】
本実施形態に係る排熱回収装置４２が採用される給湯システム１の全体構成は、以上の通りであり、続いて、本実施形態に係る排熱回収装置４２について具体的に説明する。
【００５７】
本実施形態に係る排熱回収装置４２は、浴室ＢＲにおけるシャワーやカランの湯が浴室ＢＲの排水口Ｄを介して排水路ＤＲに排出され、また、浴槽ＢＴ内の湯が排水系ＤＰを介して排水路ＤＲに排出されることに着目したもので、使用済みの湯が排出される排水路ＤＲ内に設置されることを前提としている。
【００５８】
これに伴い、前記排水路ＤＲにおける排熱回収装置４２を設置する領域の天部は、着脱可能な蓋Ｃで構成されており、該蓋Ｃを取り外すことで排水路ＤＲ内に設置された排熱回収装置４２に対してアクセスできるようになっている。なお、図１において、蓋Ｃを含む排水路ＤＲ全体が浴槽ＢＴの下方に配置されているが、実際には、排水路ＤＲの少なくとも排熱回収装置４２が設置される領域（蓋Ｃを含む領域）は、浴槽ＢＴに対して横方向にずれた位置（上方に浴槽ＢＴのない位置）に配置され、蓋Ｃの着脱を上方から行えるようになっている。
【００５９】
そして、本実施形態に係る排熱回収装置４２は、図２に示す如く、一次側給水配管４０、及び二次側給水配管４１を接続可能に構成され、前記一次側給水配管４０から二次側給水配管４１に向けて給水源からの水を流通可能に構成された一対の熱回収体４３，４４を備えている。なお、以下、一方の熱回収体を第一熱回収体４３といい、他方の熱回収体を第二熱回収体４４という。
【００６０】
前記第一熱回収体４３は、図２及び図３（ａ）に示す如く、所定の間隔をあけて配置された複数の伝熱カセット（以下、第一伝熱カセットという）４３０…と、隣り合う第一伝熱カセット４３０…同士を連結する複数の連結部４３１ａ，４３１ｂと、前記複数の第一伝熱カセット４３０…の並ぶ方向の最も一端側にある第一伝熱カセット４３０に接続され、前記一次側給水配管４０が接続可能に構成された一次側接続部４３２と、前記複数の第一伝熱カセット４３０…の並ぶ方向の最も他端側にある第一伝熱カセット４３０に接続され、前記二次側給水配管４１が接続可能に構成された二次側接続部４３３とを備えている。
【００６１】
前記複数の第一伝熱カセット４３０…のそれぞれは、図４（ａ）及び図５に示す如く、互いに間隔をあけて対向する一対のプレート状伝熱部４３４，４３４と、該一対のプレート状伝熱部４３４，４３４間に形成された内部流路４３０ａとを備えている。前記複数の第一伝熱カセット４３０…のそれぞれは、重ね合わされた四角形状をなす一対の伝熱プレートＰ，Ｐの外周同士が液密に封着されて形成されており、伝熱プレートＰ，Ｐ間（内部）に水を流通させる内部流路４３０ａが形成されている
【００６２】
前記複数の第一伝熱カセット４３０…のそれぞれは、前記プレート状伝熱部４３４を隣り合う第一伝熱カセット４３０のプレート状伝熱部４３４と面対向させて配置されている。
【００６３】
すなわち、複数の第一伝熱カセット４３０…は、それぞれ起立した状態で配置されている。本実施形態において、各第一伝熱カセット４３０…は、伝熱プレートＰ，Ｐの外郭を構成する四辺のうちの対向する二辺が上下方向に伸びるように配置され、隣り合う相手方の第一伝熱カセット４３０…（伝熱プレートＰ，Ｐ）と面対向させている。
【００６４】
前記第一熱回収体４３において、前記連結部４３１ａ，４３１ｂは、図４（ａ）に示す如く、筒状に形成されており、隣り合う第一伝熱カセット４３０…間に介設された状態で両方の第一伝熱カセット４３０，４３０の内部流路４３０ａ，４３０ａ同士を連通させている。
【００６５】
そして、前記第一熱回収体４３は、第一伝熱カセット４３０の内部流路４３０ａでの水の流通方向が第一伝熱カセット４３０…毎に切り替わるように連結部４３１ａ，４３１ｂが配置されている。
【００６６】
より具体的には、本実施形態に係る第一熱回収体４３は、前記複数の連結部４３１ａ，４３１ｂとして、第一伝熱カセット４３０…の幅方向の一端同士を連結する第一連結部４３１ａと、第一伝熱カセット４３０…の幅方向の他端同士を連結する第二連結部４３１ｂとを備えている。そして、前記第一熱回収体４３において、第一伝熱カセット４３０…間に前記第一連結部４３１ａ又は第二連結部４３１ｂの何れか一方のみが配置され、前記第一連結部４３１ａ及び第二連結部４３１ｂが前記複数の第一伝熱カセット４３０…の並ぶ方向で交互に配置されている。
【００６７】
本実施形態に係る第一熱回収体４３の連結部４３１ａ，４３１ｂ（第一連結部４３１ａ及び第二連結部４３１ｂ）は、図２及び図３（ａ）に示す如く、第一伝熱カセット４３０…の上端部同士を連結している。すなわち、第一連結部４３１ａは、隣り合う第一伝熱カセット４３０…の幅方向の一端側の上端部同士を連結し、第二連結部４３１ｂは、隣り合う第一伝熱カセット４３０…の幅方向の他端側の上端部同士を連結している。これにより、第一熱回収体４３は、図４（ａ）に示す如く、水の流通方向が幅方向の一端側から他端側に向く第一伝熱カセット４３０…と、水の流通方向が幅方向の他端側から一端側に向く第一伝熱カセット４３０…とが交互に配置され、第一伝熱カセット４３０…毎に流通方向を変更しながら水を流通させることができるようになっている。
【００６８】
前記第一熱回収体４３の一次側接続部４３２は、筒状に形成されており、複数の第一伝熱カセット４３０…の並ぶ方向における最も一端にある第一伝熱カセット４３０から外方に突設されている。すなわち、前記一次側接続部４３２は、最も一端にある第一伝熱カセット４３０の外側に向くプレート状伝熱部４３４に対して外方に向けて突出するように設けられている。これに対し、前記第一熱回収体４３の二次側接続部４３３は、筒状に形成されており、複数の第一伝熱カセット４３０…の並ぶ方向における最も他端にある第一伝熱カセット４３０から外方に突設されている。すなわち、前記二次側接続部４３３は、最も他端にある第一伝熱カセット４３０の外側に向くプレート状伝熱部４３４に対して外方に向けて突出するように設けられている。
【００６９】
そして、第一熱回収体４３は、一次側接続部４３２に対して一次側給水配管４０が接続され、二次側接続部４３３に対して二次側給水配管４１が接続されている。本実施形態において、前記一次側給水配管４０及び二次側給水配管４１は、少なくとも第一熱回収体４３の近傍がフレキシブル管で構成される。
【００７０】
これにより、第一熱回収体４３は、前記一次側給水配管４０及び二次側給水配管４１の変形（撓み）により位置変更（持ち上げ）可能に配置される。また、第一熱回収体４３は、給水源からの水が一次側給水配管４０から供給され、該供給された水（複数の第一伝熱カセット４３０…を通過した水）を二次側給水配管４１に供給する（流出させる）ようになっている。
【００７１】
前記第二熱回収体４４は、図２及び図３（ｂ）に示す如く、所定の間隔をあけて配置された複数の伝熱カセット（以下、第二伝熱カセットという）４４０…と、隣り合う第二伝熱カセット４４０…同士を連結する複数の連結部４４１ａ，４４１ｂ（図４（ｂ）参照）と、前記複数の第二伝熱カセット４４０…の並ぶ方向の最も一端側にある第二伝熱カセット４４０に接続され、前記一次側給水配管４０が接続可能に構成された一次側接続部４４２と、前記複数の第二伝熱カセット４４０…の並ぶ方向の最も他端側にある第二伝熱カセット４４０に接続され、前記二次側給水配管４１が接続可能に構成された二次側接続部４４３とを備えている。
【００７２】
前記複数の第二伝熱カセット４４０…のそれぞれは、図４（ｂ）及び図５に示す如く、互いに間隔をあけて対向する一対のプレート状伝熱部４４４，４４４と、該一対のプレート状伝熱部４４４，４４４間に形成された内部流路４４０ａとを備えている。前記第二伝熱カセット４４０…のそれぞれは、重ね合わされた四角形状をなす一対の伝熱プレートＰ，Ｐの外周同士が液密に封着されて形成されており、伝熱プレートＰ，Ｐ（プレート状伝熱部４４４，４４４）間に水を流通させる内部流路４４０ａが形成されている。そして、複数の第二伝熱カセット４４０…は、それぞれ起立した状態で配置されている。すなわち、各第二伝熱カセット４４０…は、伝熱プレートＰ，Ｐの外郭を構成する四辺のうちの対向する二辺が上下方向に伸びるように配置され、隣り合う相手方の第二伝熱カセット４４０…（伝熱プレートＰ，Ｐ）と面対向させている。
【００７３】
前記第二熱回収体４４において、前記連結部４４１ａ，４４１ｂは、図４（ｂ）に示す如く、筒状に形成されており、隣り合う第二伝熱カセット４４０…間に介設された状態で両方の第二伝熱カセット４４０，４４０の内部流路４４０ａ，４４０ａ同士を連通させている。
【００７４】
そして、前記第二熱回収体４４は、第二伝熱カセット４４０の内部流路４４０ａでの水の流通方向が第二伝熱カセット４４０…毎に切り替わるように連結部４４１ａ，４４１ｂが配置されている。
【００７５】
より具体的には、本実施形態に係る第二熱回収体４４は、前記複数の連結部４４１ａ，４４１ｂとして、第二伝熱カセット４４０…の幅方向の一端同士を連結する第三連結部４４１ａと、第二伝熱カセット４４０…の幅方向の他端同士を連結する第四連結部４４１ｂとを備えている。そして、前記第二熱回収体４４において、第二伝熱カセット４４０…間に前記第三連結部４４１ａ又は第四連結部４４１ｂの何れか一方のみが配置され、前記第三連結部４４１ａ及び第四連結部４４１ｂが前記複数の第二伝熱カセット４４０…の並ぶ方向で交互に配置されている。
【００７６】
本実施形態に係る第二熱回収体４４の連結部４４１ａ，４４１ｂ（第三連結部４４１ａ及び第四連結部４４１ｂ）は、図２及び図３（ｂ）に示す如く、第二伝熱カセット４４０…の下端部同士を連結している。すなわち、第三連結部４４１ａは、隣り合う第二伝熱カセット４４０…の幅方向の一端側の下端部同士を連結し、第四連結部４４１ｂは、隣り合う第二伝熱カセット４４０…の幅方向の他端側の下端部同士を連結している。これにより、第二熱回収体４４は、図４（ｂ）に示す如く、水の流通方向が幅方向の一端側から他端側に向く第二伝熱カセット４４０…と、水の流通方向が幅方向の他端側から一端側に向く第二伝熱カセット４４０…とが交互に配置され、第二伝熱カセット４４０…毎に流通方向を変更しながら水を流通させることができるようになっている。
【００７７】
前記第二熱回収体４４の一次側接続部４４２は、筒状に形成されており、複数の第二伝熱カセット４４０…の並ぶ方向における最も一端にある第二伝熱カセット４４０から外方に突設されている。すなわち、前記一次側接続部４４２は、最も一端にある第二伝熱カセット４４０の外側に向くプレート状伝熱部４４４に対して外方に向けて突出するように設けられている。これに対し、前記第二熱回収体４４の二次側接続部４４３は、筒状に形成されており、複数の第二伝熱カセット４４０…の並ぶ方向における最も他端にある第二伝熱カセット４４０から外方に突設されている。すなわち、前記二次側接続部４４３は、最も他端にある第二伝熱カセット４４０の外側に向くプレート状伝熱部４４４に対して外方に向けて突出するように設けられている。
【００７８】
そして、第二熱回収体４４は、一次側接続部４４２に対して一次側給水配管４０が接続され、二次側接続部４４３に対して二次側給水配管４１が接続されている。本実施形態において、前記一次側給水配管４０及び二次側給水配管４１は、少なくとも第二熱回収体４４の近傍がフレキシブル管で構成される。なお、本実施形態に係る一次側給水配管４０及び二次側給水配管４１のそれぞれは、排熱回収装置４２の近傍で二股に分岐されており、第一熱回収体４３（一次側接続部４３２、二次側接続部４３３）及び第二熱回収体４４（一次側接続部４４２、二次側接続部４４３）に接続されている。
【００７９】
これにより、第二熱回収体４４は、前記一次側給水配管４０及び二次側給水配管４１の変形（撓み）により位置変更（持ち上げ）可能に配置される。また、第二熱回収体４４は、給水源からの水が一次側給水配管４０から供給され、該供給された水（複数の第二伝熱カセット４４０…を通過した水）を二次側給水配管４１に供給する（流出させる）ようになっている。
【００８０】
本実施形態に係る排熱回収装置４２は、図２及び図５に示す如く、第二伝熱カセット４４０…間に第一伝熱カセット４３０…が介装されるように、排水路ＤＲ内に設置された第二熱回収体４４に第一熱回収体４３が重ね合わされることで形成されている。これにより、本実施形態に係る排熱回収装置４２は、排水路ＤＲ内に配置されたときに、第一伝熱カセット４３０…と第二伝熱カセット４４０…との間の隙間が使用済みの温水を流通させる流路になるように構成されている。
【００８１】
また、本実施形態に係る排熱回収装置４２は、図２に示す如く、第二伝熱カセット４４０…の下端同士が連結部４４１ａ，４４１ｂによって連結される一方、第一伝熱カセット４３０…の上端部同士が連結部４３１ａ，４３１ｂによって連結されているため、第一熱回収体４３及び第二熱回収体４４は、図５に示す如く、上下方向にずれた状態で配置されている。すなわち、本実施形態に係る排熱回収装置４２は、第二伝熱カセット４４０…が排水路ＤＲの底に載置される一方で、第一伝熱カセット４３０…が排水路ＤＲの底から上方側に離間した状態で配置されている。
【００８２】
これに伴い、本実施形態に係る排熱回収装置４２（第一熱回収体４３の第一伝熱カセット４３０…及び第二熱回収体４４の第二伝熱カセット４４０…）は、排水路ＤＲの上流側から下流側に向けて上下方向に蛇行した流路を形成している。これにより、排熱回収装置４２（第一熱回収体４３及び第二熱回収体４４）は、内部流路４４０ａを流通する水と排水路ＤＲ内で流れる温排水とを熱交換させ、前記内部流路４４０ａ内の水の温度を高めることができるようになっている。
【００８３】
そして、本実施形態に係る排熱回収装置４２は、第二熱回収体４４に対して上方側から第一熱回収体４３を組み合わせることで形成されるとともに、第一熱回収体４３及び第二熱回収体４４にフレキシブル管で構成された一次側給水配管４０及び二次側給水配管４１が接続されることで、第一熱回収体４３及び第二熱回収体４４が上下方向で相対的に位置変更可能になっている。すなわち、本実施形態に係る排熱回収装置４２は、第一熱回収体４３を引き上げて第二熱回収体４４から分離できるようになっている。これにより、本実施形態に係る排熱回収装置４２は、第一熱回収体４３を引き上げたときに、第一熱回収体４３の複数の第一伝熱カセット４３０…を第二熱回収体４４の複数の第二伝熱カセット４４０，４４０間から全体的に引き出せるようになっている。
【００８４】
本実施形態に係る排熱回収装置４２は、以上の通りであり、上述の如く、第一熱回収体４３及び第二熱回収体４４を組み合わせた状態で、使用済みの温水が排出される排水口Ｄに繋がる排水路ＤＲ内に設置される。
【００８５】
この状態で、上述の如く、第一熱回収体４３の第一伝熱カセット４３０と第二熱回収体４４の第二伝熱カセット４４０との間の隙間は、排水路ＤＲで上流側から下流側に流通する使用済みの温水の流路になる。
【００８６】
そして、前記排熱回収装置４２は、排水路ＤＲ内に設置した状態で前記第一熱回収体４３及び第二熱回収体４４のそれぞれに給水源からの水を流通させると、第一熱回収体４３及び第二熱回収体４４を流通する給水源からの水と排水路ＤＲを流通する使用済みの温水とが熱交換し、前記水を使用済みの温水の熱で加熱することになる。
【００８７】
本実施形態に排熱回収装置４２は、第一熱回収体４３の第一伝熱カセット４３０及び第二熱回収体４４の第二伝熱カセット４４０が互いのプレート状伝熱部４３４，４４４（伝熱プレートＰ，Ｐ）を面対向させているため、第一伝熱カセット４３０と第二伝熱カセット４４０との間に形成される流路を通過する使用済み温水と、第一伝熱カセット４３０及び第二伝熱カセット４４０の内部流路４３０ａ，４４０ａを流通する水とが熱交換する面積が大きくなり、使用済みの温水から効率的に熱回収を行って給水源からの水を効率的に加熱することになる。
【００８８】
また、本実施形態に係る排熱回収装置４２は、前記第一熱回収体４３及び第二熱回収体４４のそれぞれが、前記複数の連結部４３１ａ，４４１ａ，４３１ｂ，４４１ｂとして、隣り合う伝熱カセット（第一伝熱カセット４３０，第二伝熱カセット４４０）の一端部同士を連結する第一連結部４３１ａ，４４１ａと、隣り合う伝熱カセット（第一伝熱カセット４３０，第二伝熱カセット４４０）の他端部同士を連結する第二連結部４３１ｂ，４４１ｂとを備え、伝熱カセット（第一伝熱カセット４３０，第二伝熱カセット４４０）間に第一連結部４３１ａ，４４１ａ又は第二連結部４３１ｂ，４４１ｂの何れか一方のみが配置され、第一連結部４３１ａ，４４１ａ及び第二連結部４３１ｂ，４４１ｂが前記複数の伝熱カセット（第一伝熱カセット４３０，第二伝熱カセット４４０）の並ぶ方向で交互に配置されているため、第一熱回収体４３及び第二熱回収体４４のそれぞれは、給水源からの水が複数の伝熱カセット（第一伝熱カセット４３０，第二伝熱カセット４４０）のそれぞれの内部流路４３０ａ，４４０ａの全域又は略前記で淀むことなく上流から下流に向けて流通方向を変更しつつ流れることになる。これにより、給水源からの水と排水路ＤＲを流れる使用済みの温水（第一伝熱カセット４３０と第二伝熱カセット４４０との間を流れる使用済みの温水）との間で効率的に熱交換され、給水源からの水が短時間で加熱されることになる。
【００８９】
そして、前記排熱回収装置４２は、上述の如く、第一熱回収体４３の第一伝熱カセット４３０と第二熱回収体４４の第二伝熱カセット４４０との間が排水路ＤＲで上流側から下流側に流通する使用済みの温水の流路になるため、排水路ＤＲを流通する使用済みの温水に含まれる油分や洗剤の成分等がスケールとして第一伝熱カセット４３０及び第二伝熱カセット４４０のそれぞれの表面に付着することになる。
【００９０】
このような事態になった場合、排水路ＤＲの蓋Ｃ（図１参照）を外した上で、排水路ＤＲ内の排熱回収装置４２（第一熱回収体４３，第二熱回収体４４）の各伝熱カセット４３０，４４０（プレート状伝熱部４３４，４４４）をブラシ等の清掃具で掃除する。
【００９１】
本実施形態に係る排熱回収装置４２は、前記第一熱回収体４３及び前記第二熱回収体４４を相対的に位置変更させて前記第一熱回収体４３の第一伝熱カセット４３０…を第二熱回収体４４の第二伝熱カセット４４０…間から引き出すと、前記第一熱回収体４３の第一伝熱カセット４３０，４３０間（周囲）に第二熱回収体４４の第二伝熱カセット４４０…が存在しなくなり、前記第二熱回収体４４の第二伝熱カセット４４０，４４０間（周囲）に第一熱回収体４３の第一伝熱カセット４３０…が存在しなくなる。
【００９２】
これにより、前記排熱回収装置４２は、第一熱回収体４３の第一伝熱カセット４３０（プレート状伝熱部４３４）及び第二熱回収体４４の第二伝熱カセット４４０（プレート状伝熱部４４４）にブラシ等の清掃具がアクセスし易い状態になる。
【００９３】
従って、本実施形態に係る排熱回収装置４２は、第一伝熱カセット４３０及び第二伝熱カセット４４０のそれぞれのプレート状伝熱部４３４，４４４を含む表面を容易に且つ物理的に清掃することができ、プレート状伝熱部４３４，４４４に対するスケールの付着を解消して給水源からの水と使用済みの温水との間で効率的に熱交換させることのできる状態に戻すことができる。
【００９４】
次に、本発明の第二実施形態に係る排熱回収装置について説明する。なお、本実施形態に係る排熱回収装置は、第一実施形態と基本構成が共通しているため、第一実施形態と同一の構成又は相当する構成については、同一名称及び同一符号を付すこととする。また、第一実施形態と同一の構成については、第一実施形態を参照してここでの説明を割愛し、第一実施形態と異なる構成について説明することとする。
【００９５】
本実施形態に係る排熱回収装置４２は、図６及び図７に示す如く、第一熱回収体４３及び第二熱回収体４４の配置を第一実施形態と同様にする（排水路ＤＲの底に配置した第二熱回収体４４に対して上方側から第一熱回収体４３を組み合わせて第二伝熱カセット間に第一伝熱カセットを遊挿した状態にする）ことを前提としている。
【００９６】
本実施形態において、図６及び図７（ａ）に示す如く、第一熱回収体４３の一次側接続部４３２及び二次側接続部４３３は、同心になるように設けられている。そして、第一熱回収体４３の前記一次側接続部４３２及び二次側接続部４３３は、連結の対象となる第一伝熱カセット４３０（最も一端側にある第一伝熱カセット４３０及び最も他端側にある第一伝熱カセット４３０）の一端側の上端部に連結されている。
【００９７】
そして、本実施形態に係る第一熱回収体４３は、一次側接続部４３２及び二次側接続部４３３を中心にして回転可能に設けられている。
【００９８】
より具体的には、本実施形態において、一次側給水配管４０及び二次側給水配管４１は、剛性のある配管で構成され、排熱回収装置４２の近傍が排水路ＤＲ内で固定されている。そして、図７（ａ）に示す如く、一次側接続部４３２と接続される一次側給水配管４０の端部には、該一次側接続部４３２に外嵌可能な継手（以下、一次側継手という）４００が取り付けられている。該一次側継手４００は、内周面に環状の溝（採番しない）が設けられており、該溝にＯリング等のシール部材（採番しない）が内嵌されている。これにより、本実施形態に係る第一熱回収体４３は、一次側接続部４３２が一次側継手４００に軸心回りで回転可能に支持されるとともに、一次側接続部４３２の外周と一次側継手４００の内周との間がシール部材によって液密に保たれた状態になっている。
【００９９】
また、図７（ｂ）に示す如く、二次側接続部４３３と接続される二次側給水配管４１の端部には、該二次側接続部４３３に外嵌可能な継手（以下、二次側継手という）４１０が取り付けられている。該二次側継手４１０は、内周面に環状の溝（採番しない）が設けられており、該溝にＯリング等のシール部材（採番しない）が内嵌されている。これにより、本実施形態に係る第一熱回収体４３は、二次側接続部４３３が二次側継手４１０に軸心回りで回転可能に支持されるとともに、二次側接続部４３３の外周と二次側継手４１０の内周との間がシール部材によって液密に保たれた状態になっている。
【０１００】
そして、本実施形態に係る第一熱回収体４３は、上述の如く、一次側接続部４３２及び二次側接続部４３３が同心であり、一次側接続部４３２が一次側継手４００に回転可能に支持されるとともに、二次側接続部４３３が二次側継手４１０に回転可能に支持されているため、一次側接続部４３２及び二次側接続部４３３を中心にして全体が回転できるようになっている。
【０１０１】
これに対し、第二熱回収体４４は、排水路ＤＲの底に配置された上で、図７（ｂ）に示す如く、一次側接続部４４２に対して一次側給水配管４０が強固（回転不能）に接続され、二次側接続部４４３に対して二次側給水配管４１が強固（回転不能）に接続されている。なお、本実施形態において、第二熱回収体４４に接続される前記一次側給水配管４０及び二次側給水配管４１は、第一熱回収体４３に接続される前記一次側給水配管４０及び二次側給水配管４１と同様に剛性のある配管であってもよいし、可撓性のあるフレキシブル管であってもよい。
【０１０２】
本実施形態に係る排熱回収装置４２は、以上の通りであり、第一実施形態の排熱回収装置４２と同様に、排水路ＤＲ内に設置した状態で前記第一熱回収体４３及び第二熱回収体４４のそれぞれに給水源からの水を流通させると、第一熱回収体４３及び第二熱回収体４４を流通する給水源からの水と排水路ＤＲを流通する使用済みの温水とが熱交換し、前記水を使用済みの温水の熱で加熱することになる。
【０１０３】
そして、排水路ＤＲを流通する使用済みの温水に含まれる油分や洗剤の成分等がスケールとして第一伝熱カセット４３０及び第二伝熱カセット４４０のそれぞれの表面に付着した場合、第一実施形態と同様に、排水路ＤＲの蓋Ｃ（図１参照）を外した上で、排水路ＤＲ内の排熱回収装置４２（第一熱回収体４３，第二熱回収体４４）の各伝熱カセット４３０，４４０（プレート状伝熱部４３４，４４４）をブラシ等の清掃具で掃除する。
【０１０４】
本実施形態に係る排熱回収装置４２は、上述の如く、第一熱回収体４３が一次側接続部４３２及び二次側接続部４３３を中心にして回転可能に設けられているため、図８に示す如く、第一熱回収体４３全体（複数の第一伝熱カセット４３０及び複数の連結部４３１ａ，４３１ｂ）を、前記一次側接続部４３２及び前記二次側接続部４３３を中心にして回転させることで、該第一熱回収体４３の各第一伝熱カセット４３０…が第二熱回収体４４の第二伝熱カセット４４０，４４０間から引き出された状態になる。
【０１０５】
これにより、本実施形態に係る排熱回収装置４２においても、第一熱回収体４３が備える複数の第一伝熱カセット４３０…の周囲に第二熱回収体４４が備える複数の第二伝熱カセット４４０…が存在しなくなり、また、第二熱回収体４４が備える複数の第二伝熱カセット４４０…の周囲に第一熱回収体４３が備える複数の第一伝熱カセット４３０…が存在しなくなる。
【０１０６】
これにより、前記排熱回収装置４２は、第一熱回収体４３の第一伝熱カセット４３０（プレート状伝熱部４３４）及び第二熱回収体４４の第二伝熱カセット４４０（プレート状伝熱部４４４）にブラシ等の清掃具がアクセスし易い状態になる。
【０１０７】
従って、本実施形態に係る排熱回収装置４２においても、第一伝熱カセット４３０及び第二伝熱カセット４４０のそれぞれのプレート状伝熱部４３４，４４４を含む表面を容易に且つ物理的に清掃することができ、プレート状伝熱部４３４，４４４に対するスケールの付着を解消して給水源からの水と使用済みの温水との間で効率的に熱交換させることのできる状態に戻すことができる。
【０１０８】
次に、本発明の第三実施形態に係る排熱回収装置について説明する。なお、第一実施形態の構成と同一の構成又は相当する構成については、同一名称及び同一符号を付すこととする。但し、連結部については、第一連結部及び第二連結部に区分けせずに、単に連結部とし、符号についても区分けせずに（ａ，ｂを付さずに）表記することとする。
【０１０９】
本実施形態に係る排熱回収装置４２は、図９及び図１０に示す如く、第一熱回収体４３及び第二熱回収体４４の配置を第一及び第二実施形態と同様にする（第一熱回収体４３と第二熱回収体４４とを組み合わせて第二伝熱カセット４４０，４４０間に第一伝熱カセット４３０を遊挿した状態にする）ことを前提としている。
【０１１０】
本実施形態において、図１０に示す如く、第一熱回収体４３の連結部４３１、一次側接続部４３２及び二次側接続部４３３は、同心になるように設けられている。すなわち、本実施形態に係る第一熱回収体４３において、連結部４３１、一次側接続部４３２及び二次側接続部４３３は、一列に配置されている。
【０１１１】
そして、本実施形態に係る第一熱回収体４３において、前記複数の連結部４３１、前記一次側接続部４３２及び二次側接続部４３３は、連結の対象となる第一伝熱カセット４３０（最も一端側にある第一伝熱カセット４３０及び最も他端側にある第一伝熱カセット４３０）の一端側の中央部に連結されている。
【０１１２】
そして、本実施形態に係る連結部４３１のそれぞれは、隣り合う第一伝熱カセット４３０，４３０のうちの一方の第一伝熱カセット４３０に連結された第一筒体４３５と、隣り合う第一伝熱カセット４３０，４３０のうちの他方の第一伝熱カセット４３０に連結され、第一筒体４３５に外嵌された第二筒体４３６とを備えている。
【０１１３】
前記第二筒体４３６は、内周面に環状の溝（採番しない）が設けられており、該溝にＯリング等のシール部材（採番しない）が内嵌されている。これにより、前記第一筒体４３５は、第二筒体４３６の溝に内嵌されたシール部材が外周に圧接した状態になっている。すなわち、各連結部４３１は、第一筒体４３５の外周と第二筒体４３６の内周との間がシール部材によって液密になっている。そして、第一筒体４３５及び第二筒体４３６は、自己の中心回りで相対的に回転可能になっている。
【０１１４】
本実施形態において、一次側給水配管４０及び二次側給水配管４１は、第二実施形態と同様に、剛性のある配管で構成され、排熱回収装置４２の近傍が排水路ＤＲ内で固定されている。そして、一次側接続部４３２と接続される一次側給水配管４０の端部には、該一次側接続部４３２に外嵌可能な一次側継手４００が取り付けられている。該一次側継手４００は、内周面に環状の溝（採番しない）が設けられており、該溝にＯリング等のシール部材（採番しない）が内嵌されている。これにより、本実施形態に係る第一熱回収体４３は、一次側接続部４３２が一次側継手４００に軸心回りで回転可能に支持されるとともに、一次側接続部４３２の外周と一次側継手４００の内周との間がシール部材によって液密に保たれた状態になっている。
【０１１５】
また、二次側接続部４３３と接続される二次側給水配管４１の端部には、該二次側接続部４３３に外嵌可能な二次側継手４１０が取り付けられている。該二次側継手４１０は、内周面に環状の溝（採番しない）が設けられており、該溝にＯリング等のシール部材（採番しない）が内嵌されている。これにより、本実施形態に係る第一熱回収体４３は、二次側接続部４３３が二次側継手４１０に軸心回りで回転可能に支持されるとともに、二次側接続部４３３の外周と二次側継手４１０の内周との間がシール部材によって液密に保たれた状態になっている。
【０１１６】
このように、本実施形態に係る第一熱回収体４３は、隣り合う第一伝熱カセット４３０…が第一筒体４３５と、第一筒体４３５に対して同心で回転可能に外嵌された第二筒体４３６とで構成される連結部４３１を介して連結され、さらに、一次側接続部４３２が一次側継手４００に軸心回りで回転可能に支持されるとともに、二次側接続部４３３が二次側継手４１０に軸心回りで回転可能に支持されることで、各第一伝熱カセット４３０…が連結された連結部４３１を中心にして個別に回転できるようになっている。
【０１１７】
そして、本実施形態に係る第一熱回収体４３において、複数の連結部４３１、前記一次側接続部４３２及び二次側接続部４３３が第一伝熱カセット４３０の一端側で一列をなすように配置されるため、各第一伝熱カセット４３０の内部流路４３０ａは、流入した水が一端側から他端側に流れた後に再度一端側に戻るように形成されている。
【０１１８】
より具体的には、第一熱回収体４３において、複数の第一伝熱カセット４３０…のそれぞれは、図１１に示す如く、一対のプレート状伝熱部４３４，４３４間の内部流路４３０ａを該プレート状伝熱部４３４，４３４の並ぶ方向で一次側内部流路４３０ｂと二次側内部流路４３０ｃとに仕切る仕切板Ｐｃを備えている。すなわち、各第一伝熱カセット４３０…は、一対の伝熱プレートＰ，Ｐに外周が挟み込まれた仕切板Ｐｃを備えている。
【０１１９】
前記仕切板Ｐｃは、当該第一伝熱カセット４３０の他端部側に一次側内部流路４３０ｂと二次側内部流路４３０ｃとを連通させる連通孔Ｈが設けられている。
【０１２０】
これにより、各第一伝熱カセット４３０…は、給水源からの水が一次側内部流路４３０ｂを流れた上で二次側内部流路４３０ｃを流れるようになっている。すなわち、本実施形態に係る第一熱回収体４３は、各第一伝熱カセット４３０…の内部流路４３０ａにおいて、給水源からの水が一端側から他端側に向けて流れて該他端側（連通孔Ｈ）でターンした上で他端側から一端側に向けて流れるようになっている。
【０１２１】
従って、本実施形態に係る第一熱回収体４３は、各第一伝熱カセット４３０…の内部流路４３０ａが一往復する流路になるとともに、各第一伝熱カセット４３０…の内部流路４３０ａが一端側にある連結部４３１を介して流体的に接続されたものになっている。
【０１２２】
図１０に戻り、本実施形態に係る第二熱回収体４４の連結部４４１、一次側接続部４４２及び二次側接続部４４３は、同心になるように設けられている。すなわち、本実施形態に係る第二熱回収体４４において、連結部４４１、一次側接続部４４２及び二次側接続部４４３は、一列に配置されている。
【０１２３】
そして、本実施形態に係る第二熱回収体４４において、前記複数の連結部４４１、前記一次側接続部４４２及び二次側接続部４４３は、連結の対象となる第二伝熱カセット４４０（最も一端側にある第二伝熱カセット４４０及び最も他端側にある第二伝熱カセット４４０）の他端側の中央部に連結されている。
【０１２４】
そして、本実施形態に係る連結部４４１のそれぞれは、隣り合う第二伝熱カセット４４０，４４０のうちの一方の第二伝熱カセット４４０に連結された第一筒体４４５と、隣り合う第二伝熱カセット４４０，４４０のうちの他方の第二伝熱カセット４４０に連結され、第一筒体４４５に外嵌された第二筒体４４６とを備えている。
【０１２５】
前記第二筒体４４６は、内周面に環状の溝（採番しない）が設けられており、該溝にＯリング等のシール部材（採番しない）が内嵌されている。これにより、前記第一筒体４４５は、第二筒体４４６の溝に内嵌されたシール部材が外周に圧接した状態になっている。すなわち、各連結部４４１は、第一筒体４４５の外周と第二筒体４４６の内周との間がシール部材によって液密になっている。そして、第一筒体４４５及び第二筒体４４６は、自己の中心回りで相対的に回転可能になっている。
【０１２６】
本実施形態において、一次側給水配管４０及び二次側給水配管４１は、第二実施形態と同様に、剛性のある配管で構成され、排熱回収装置４２の近傍が排水路ＤＲ内で固定されている。そして、一次側接続部４４２と接続される一次側給水配管４０の端部には、該一次側接続部４４２に外嵌可能な一次側継手４００が取り付けられている。該一次側継手４００は、内周面に環状の溝（採番しない）が設けられており、該溝にＯリング等のシール部材（採番しない）が内嵌されている。これにより、本実施形態に係る第二熱回収体４４は、一次側接続部４４２が一次側継手４００に軸心回りで回転可能に支持されるとともに、一次側接続部４４２の外周と一次側継手４００の内周との間がシール部材によって液密に保たれた状態になっている。
【０１２７】
また、二次側接続部４４３と接続される二次側給水配管４１の端部には、該二次側接続部４４３に外嵌可能な二次側継手４１０が取り付けられている。該二次側継手４１０は、内周面に環状の溝（採番しない）が設けられており、該溝にＯリング等のシール部材（採番しない）が内嵌されている。これにより、本実施形態に係る第二熱回収体４４は、二次側接続部４４３が二次側継手４１０に軸心回りで回転可能に支持されるとともに、二次側接続部４４３の外周と二次側継手４１０の内周との間がシール部材によって液密に保たれた状態になっている。
【０１２８】
このように、本実施形態に係る第二熱回収体４４は、隣り合う第二伝熱カセット４４０…が第一筒体４４５と、第一筒体４４５に対して同心で回転可能に外嵌された第二筒体４４６とで構成される連結部４４１を介して連結され、さらに、一次側接続部４４２が一次側継手４００に軸心回りで回転可能に支持されるとともに、二次側接続部４４３が二次側継手４１０に軸心回りで回転可能に支持されることで、各第二伝熱カセット４４０…が連結された連結部４４１を中心にして個別に回転できるようになっている。
【０１２９】
そして、本実施形態に係る第二熱回収体４４において、複数の連結部４４１、前記一次側接続部４４２及び二次側接続部４４３が第二伝熱カセット４４０の他端側で一列をなすように配置されるため、各第二伝熱カセット４４０の内部流路４４０ａは、流入した水が他端側から一端側に流れた後に再度他端側に戻るように形成されている。
【０１３０】
より具体的には、第二熱回収体４４において、複数の第二伝熱カセット４４０…のそれぞれは、図１１に示す如く、一対のプレート状伝熱部４４４，４４４間の内部流路４４０ａを該プレート状伝熱部４４４，４４４の並ぶ方向で一次側内部流路４４０ｂと二次側内部流路４４０ｃとに仕切る仕切板Ｐｃを備えている。すなわち、各第二伝熱カセット４４０…は、一対の伝熱プレートＰ，Ｐに外周が挟み込まれた仕切板Ｐｃを備えている。
【０１３１】
前記仕切板Ｐｃは、当該第二伝熱カセット４４０の他端部側に一次側内部流路４４０ｂと二次側内部流路４４０ｃとを連通させる連通孔Ｈが設けられている。
【０１３２】
これにより、各第二伝熱カセット４４０…は、給水源からの水が一次側内部流路４４０ｂを流れた上で二次側内部流路４４０ｃを流れるようになっている。本実施形態に係る第二熱回収体４４は、各第二伝熱カセット４４０…の内部流路４４０ａにおいて、給水源からの水が他端側から一端側に向けて流れて該一端側（連通孔Ｈ）でターンした上で一端側から他端側に向け流れるようになっている。
【０１３３】
従って、本実施形態に係る第二熱回収体４４は、各第二伝熱カセット４４０…の内部流路４４０ａが一往復する流路になるとともに、各第二伝熱カセット４４０…の内部流路４４０ａが一端側にある連結部４４１を介して流体的に接続されたものになっている。
【０１３４】
本実施形態に係る排熱回収装置４２は、以上の通りであり、排水路ＤＲに配置された上で一次側給水配管４０から水を供給することで、第一熱回収体４３及び第二熱回収体４４を流通する給水源からの水と排水路ＤＲを流れる使用済みの温水とが効率的に熱交換することになる。本実施形態において、第一熱回収体４３及び第二熱回収体４４は、上述の如く、伝熱カセット（第一伝熱カセット４３０、第二伝熱カセット４４０）のそれぞれの内部流路４３０ａ，４４０ａが一往復する流路になるとともに、伝熱カセット（第一伝熱カセット４３０、第二伝熱カセット４４０）のそれぞれの内部流路４３０ａ，４４０ａが一列に並ぶ連結部４３１…を介して流体的に接続されているため、給水源からの水が上流側（一次側給水配管４０側）から下流側（二次側給水配管４１）に向けて排水路ＤＲの幅方向に蛇行（複数回往復）しつつ流通することになる。
【０１３５】
これにより、第一熱回収体４３及び第二熱回収体４４のそれぞれにおいて、給水源からの水が伝熱カセット（第一伝熱カセット４３０、第二伝熱カセット４４０）のそれぞれの内部流路４３０ａ，４４０ａの全域又は略前記で淀むことなく上流から下流に向けて流れ、排水路ＤＲを流れる（第一伝熱カセット４３０と第二伝熱カセット４４０との間を流れる）使用済みの温水と効率的に熱交換されることになる。
【０１３６】
そして、排水路ＤＲを流通する使用済みの温水に含まれる油分や洗剤の成分等がスケールとして第一伝熱カセット４３０及び第二伝熱カセット４４０のそれぞれの表面に付着した場合、第一及び第二実施形態と同様に、排水路ＤＲの蓋Ｃ（図１参照）を外した上で、排水路ＤＲ内の排熱回収装置４２（第一熱回収体４３，第二熱回収体４４）の各伝熱カセット４３０，４４０（プレート状伝熱部４３４，４４４）をブラシ等の清掃具で掃除する。
【０１３７】
本実施形態に係る排熱回収装置４２は、上述の如く、第一熱回収体４３の複数の第一伝熱カセット４３０…のそれぞれが連結部４３１を中心にして個別に回転できるため、図１２に示す如く、複数の第一伝熱カセット４３０を個別に回転させることで、該第一伝熱カセット４３０…を第二熱回収体４４の第二伝熱カセット４４０，４４０間から引き出した状態にすることができる。
【０１３８】
これにより、本実施形態に係る排熱回収装置４２においても、第一熱回収体４３が備える複数の第一伝熱カセット４３０…の周囲に第二熱回収体４４が備える複数の第二伝熱カセット４４０…が存在しなくなり、第二熱回収体４４が備える複数の第二伝熱カセット４４０…の周囲に第一熱回収体４３が備える複数の第一伝熱カセット４３０…が存在しなくなる。従って、本実施形態に係る排熱回収装置４２においても、第一熱回収体４３の第一伝熱カセット４３０（プレート状伝熱部４３４）及び第二熱回収体４４の第二伝熱カセット４４０（プレート状伝熱部４４４）にブラシ等の清掃具をアクセスさせ易い状態になる。
【０１３９】
また、本実施形態に係る排熱回収装置４２においては、上述の如く、第二熱回収体４４の複数の第二伝熱カセット４４０…のそれぞれについても連結部４４１を中心にして個別に回転できるため、複数の第二伝熱カセット４４０を個別に回転させることで、該第二伝熱カセット４４０…を第一熱回収体４３の第一伝熱カセット４３０，４３０間から引き出した状態にすることができる。
【０１４０】
これにより、本実施形態に係る排熱回収装置４２は、第二熱回収体４４が備える複数の第二伝熱カセット４４０…の周囲に第一熱回収体４３が備える複数の第一伝熱カセット４３０…が存在しなくなり、第一熱回収体４３が備える複数の第一伝熱カセット４３０…の周囲に第二熱回収体４４が備える複数の第二伝熱カセット４４０…が存在しなくなる。これにより、本実施形態に係る排熱回収装置４２は、第二熱回収体４４の第二伝熱カセット４４０を回転させることでも、第一熱回収体４３の第一伝熱カセット４３０（プレート状伝熱部４３４）及び第二熱回収体４４の第二伝熱カセット４４０（プレート状伝熱部４４４）にブラシ等の清掃具をアクセスさせ易い状態になる。
【０１４１】
従って、本実施形態に係る排熱回収装置４２においても、第一伝熱カセット４３０及び第二伝熱カセット４４０のそれぞれのプレート状伝熱部４３４，４４４を含む表面を容易に且つ物理的に清掃することができ、プレート状伝熱部４３４，４４４に対するスケールの付着を解消して給水源からの水と使用済みの温水との間で効率的に熱交換させることのできる状態に戻すことができる。
【０１４２】
なお、本発明は、上記各実施形態に限定されるものではなく、本発明の要旨を逸脱しない範囲で適宜変更を加え得ることは勿論のことである。
【０１４３】
上記第一実施形態において、伝熱カセット（第一伝熱カセット４３０、第二伝熱カセット４４０）を清掃する際に、第一熱回収体４３及び第二熱回収体４４を上下方向で相対的に位置変更させることを前提に説明したが、これに限定されるものではなく、第一熱回収体４３及び第二熱回収体４４を伝熱カセット４３０…，４４０…の並ぶ方向（横方向）で相対的に位置変更させ、第一熱回収体４３の第一伝熱カセット４３０と第二熱回収体４４の第二伝熱カセット４４０との間隔を広げるようにしてもよい。
【０１４４】
すなわち、伝熱カセット（第一伝熱カセット４３０、第二伝熱カセット４４０）を清掃する際に、第一熱回収体４３を伝熱カセット４３０…，４４０…の並ぶ方向（横方向）の一方側に位置変更させることで、第一熱回収体４３の第一伝熱カセット４３０の何れか一方の伝熱プレートＰ（プレート状伝熱部４３４）と該一方の伝熱プレートＰ（プレート状伝熱部４３４）と対向する第二熱回収体４４の第二伝熱カセット４４０の他方の伝熱プレートＰ（プレート状伝熱部４３４）との間隔を広げたり、第一熱回収体４３を伝熱カセット４３０…，４４０…の並ぶ方向（横方向）の他方側に位置変更させることで、第一熱回収体４３の第一伝熱カセット４３０の何れか他方の伝熱プレートＰ（プレート状伝熱部４３４）と該他方の伝熱プレートＰ（プレート状伝熱部４３４）と対向する第二熱回収体４４の第二伝熱カセット４４０の一方の伝熱プレートＰ（プレート状伝熱部４３４）との間隔を広げたりするようにしてもよい。
【０１４５】
このように、第一伝熱カセット４３０と第二伝熱カセット４４０との間隔を広げることで、ブラシ等の清掃具が挿入し易くなる上に、第一伝熱カセット４３０と第二伝熱カセット４４０との間での清掃具の操作もし易くなり、上記実施形態と同様の効果を奏することができる。
【０１４６】
また、第一熱回収体４３及び第二熱回収体４４を伝熱カセット４３０…，４４０…の並ぶ方向（横方向）で相対的に位置変更可能にするに当り、第一熱回収体４３及び第二熱回収体４４のそれぞれが全体的に位置変更するものに限定されるものではなく、第一熱回収体４３及び第二熱回収体４４の少なくとも伝熱カセット４３０，４４０が位置変更できればよい。このようにしても、第一伝熱カセット４３０と第二伝熱カセット４４０との間隔を広げることができ、ブラシ等の清掃具が挿入し易くなる上に、第一伝熱カセット４３０と第二伝熱カセット４４０との間での清掃具の操作もし易くなり、上記実施形態と同様の効果を奏することができる。
【０１４７】
上記第一実施形態及び第二実施形態において、隣り合う伝熱カセット４３０…、４４０…を連結する連結部４３１として、伝熱カセット４３０…の一端側同士を連結する第一連結部４３１ａと、伝熱カセット４３０…の他端側同士を連結する第二連結部４３１ｂとを伝熱カセット４３０…の並ぶ方向で交互に配置したが、これに限定されるものではなく、例えば、第三実施形態と同様に、連結部４３１…を一列に配置するとともに伝熱カセット４３０，４４０内に仕切板Ｐｃを設けて内部流路４３０ａ，４４０ａを往復する流路に形成してもよい。
【０１４８】
上記第三実施形態において、第一熱回収体４３及び第二熱回収体４４の何れの伝熱カセット（第一伝熱カセット４３０…、第二伝熱カセット４４０…）も個別に回転できるようにしたが、これに限定されるものではなく、例えば、第一熱回収体４３又は第二熱回収体４４の何れか一方の伝熱カセット（第一伝熱カセット４３０…、第二伝熱カセット４４０…）のみを個別に回転できるようにしてもよい。
【符号の説明】
【０１４９】
１…給湯システム、２…湯沸器、３…給湯配管系、４…給水配管系、５…混合弁、６…配管系、７…給湯検知装置、８…検知センサ（入浴情報取得装置）、９…開閉弁、１０…制御装置、４０…一次側給水配管、４１…二次側給水配管、４２…排熱回収装置、４３…第一熱回収体（熱回収体）、４４…第二熱回収体（熱回収体）、６０…主配管、６１…第一配管、６２…第二配管、３２０ａ…内部流路、４３０ｂ…一次側内部流路、４３０ｃ…二次側内部流路、４００…一次側継手（継手）、４１０…二次側継手（継手）、４３０…第一伝熱カセット（伝熱カセット）、４３１…連結部、４３１ａ，４４１ａ…第一連結部（連結部）、４３１ｂ，４４１ｂ…第二連結部（連結部）、４３２…一次側接続部、４３３…二次側接続部、４３４…プレート状伝熱部、４３５…第一筒体、４３６…第二筒体、４４０…第二伝熱カセット、４４０ａ…内部流路、４４１…連結部、４４１ａ…第三連結部（連結部）、４４１ｂ…第四連結部（連結部）、４４０ｂ…一次側内部流路、４４０ｃ…二次側内部流路、４４２…一次側接続部、４４３…二次側接続部、４４４…プレート状伝熱部、４４５…第一筒体、４４６…第二筒体、ＢＲ…浴室、ＢＴ…浴槽、Ｃ…蓋、Ｄ…排水口、Ｄ…排水口、ＤＰ…排水系、ＤＲ…排水路、Ｄｒ…排水路、Ｈ…連通孔、Ｐ…伝熱プレート、Ｐｃ…仕切板
【図１】
2013015231.tif 000003
【図２】
2013015231.tif 000004
【図３】
2013015231.tif 000005
【図４】
2013015231.tif 000006
【図５】
2013015231.tif 000007
【図６】
2013015231.tif 000008
【図７】
2013015231.tif 000009
【図８】
2013015231.tif 000010
【図９】
2013015231.tif 000011
【図１０】
2013015231.tif 000012
【図１１】
2013015231.tif 000013
【図１２】
2013015231.tif 000014